(57)【要約】【課題】制御ユニットのノイズフィルタ部の組み立てが容易になる洗濯機を実現する。【解決手段】制御基板４とノイズフィルタ２０と、舟状ケース５およびフタ体６とを備え、前記ノイズフィルタ２０は、前記制御基板４とは分離した別部材とし前記舟状ケースに一体形成した隔壁２２で隔て、可撓性を有する樹脂で構成された前記舟状ケース５の隔壁２２に一体形成した複数個のツメ部２５，２６のツメ部開口部２７から挿入してツメ部２５、２６の可撓性を利用して固定し、さらに前記上部リブ体の先端に凸部３１に、ノイズフィルタの切り欠き部３０を挿入し周り止めをし、前後リブ体３２、３３にて前後方向の位置規制をしたもので、これによって、ノイズフィルタ２０の挿入を簡単かつ保持を確実な構成としたので、リード線が捩じれたり、絡まったりすることがなく、組立作業を円滑に進めることができる。【選択図】図３
2010200983.tif 000002
【特許請求の範囲】
【請求項１】
モータ等負荷装置の運転を制御する制御基板と、前記制御基板の電源入力部に付加するノイズフィルタと、前記制御基板を収納する舟状ケースおよびフタ体とで構成される制御ユニットとを備え、前記ノイズフィルタは、前記制御基板とは分離した別部材とし前記舟状ケースに一体形成した隔壁で隔てて配置し、前記舟状ケースは可撓性を有する難燃性樹脂で構成され、前記舟状ケースの隔壁に一体形成した複数個のツメ部と、舟状ケース内方下面に形成した上部リブ体および前後リブ体とを設け、前記ノイフィルタを複数個のツメ部開口部から挿入して前記複数個のツメ部の可撓性を利用して固定し、さらに前記上部リブ体の先端に凸部を設けて、ノイズフィルタの切り欠き部を挿入し周り止めをし、前後リブ体にて前後方向の位置規制をしたノイズフィルタ取り付け構成の洗濯機。
【請求項２】
舟状ケースの複数個のツメ部は、舟状ケースを下面から覆うフタ体で隔壁の位置規制することで、ツメ部が広がることを抑制する構成にした請求項１に記載の洗濯機。
【請求項３】
舟状ケースは、底面および側面を覆う鋼板等の難燃性部材で形成されたカバー体を有し、舟状ケースのツメ部に上方に形成された金型上の抜き穴を被覆した請求項１または２に記載の洗濯機。
【発明の詳細な説明】
【技術分野】
【０００１】
本発明は、電源部にノイズフィルタと、制御ユニットを備えた洗濯機に関するものである。
【背景技術】
【０００２】
近年、洗濯機は、モータ等の駆動部を制御する為に、インバータ制御回路等が多用されている。さらに、この制御回路から発した電磁波ノイズが電源線等を通じて他の機器に悪影響を与えたり、モータの回路から発生するノイズで制御回路に影響を与えたりする事を防ぐ為に、この電磁波ノイズを遮断するノイズフィルタを設けることが一般的である（例えば、特許文献１参照）。
【０００３】
図５は、従来のこの種の洗濯機に搭載された制御ユニット部分の断面図であり、以下図面に従ってその構成を説明する。
【０００４】
図５に示すように、従来のこの種の洗濯機は、制御ユニットを収納するケース６０およびフタ６１内部に、ノイズフィルタ５３を並列収納している。
【０００５】
ノイズフィルタ５３は、制御ユニット４７の基板４７ａから分離した別部材とし、単独部材として舟状ケース６０内に収納する構成とし、ノイズフィルタ５３の下方は、舟状ケース６０に支持リブ６２を設けて載置せしめ、上方に構成したフタ体６１には押さえリブ６３を設けて上方から保持される構成である。
【０００６】
舟状ケース６０およびフタ体６１は、絶縁性を有するプラスチック材等で構成し、フタ体６１は、内部の制御ユニット４７に載置した電装部材より発生する熱を放散する窓６４を形成し、かつ小ねじ６５にて舟状ケース６０に形成したボス６６に締結して、舟状ケース６０と固定する。
【０００７】
この構造により、ノイズフィルタ５３の取付けは、舟状ケース６０からの支持リブ６２およびフタ体６１からの押さえリブ６３で固定するようにしている為、組み立ても簡単な形態としている。
【特許文献１】特開２００８−０６０４８号公報
【発明の開示】
【発明が解決しようとする課題】
【０００８】
しかしながら、このような従来の技術により実現される洗濯機に搭載された制御ユニットのノイズフィルタ取付け構造では、左右方向の位置規制はされるものの、上下方向および前後方向の位置規制がフタ体を取り付けるまではなされないため、基板にコネクタを差し込む時などにより舟状ケースが振動した場合、ノイズフィルタが支持リブ内の設置場所からはずれ、何度もノイズフィルタを支持リブ内に設置し直す必要があった。
【０００９】
また、回転方向についても位置規制がなされていないため、円筒形のノイズフィルタの設置向きについて別途指示書で指示をする必要があり、また、指示したとしても、作業ミスによりノイズフィルタが不正規の向きで設置され、ノイズフィルタに装着しているコネクタのリード線が捩れる等の問題を起こす可能性があった。
【００１０】
本発明は、上記課題を解決するもので、制御ユニットを収納する舟状ケースにリブ体を設けることで、ノイズフィルタがどの方向にも動かないようにするとともに、ノイズフィルタの設置位置を規制し、リード線の捩じれ等の問題を発生させない洗濯機を提供することを目的としている。
【課題を解決するための手段】
【００１１】
前記従来の課題を解決する為に、本発明の洗濯機は、制御基板とノイズフィルタと、前記制御基板を収納する舟状ケースおよびフタ体とで構成される制御ユニットとを備え、前記ノイズフィルタは、前記制御基板とは分離した別部材とし前記舟状ケースに一体形成した隔壁で隔てて配置し、前記舟状ケースは可撓性を有する難燃性樹脂で構成され、前記舟状ケースの隔壁に一体形成した複数個のツメ部と、舟状ケース内方下面に形成した上部リブ体および前後リブ体とを設け、前記ノイフィルタを複数個のツメ部開口部から挿入して前記複数個のツメ部の可撓性を利用して固定し、さらに前記上部リブ体の先端に凸部を設けて、ノイズフィルタの切り欠き部を挿入し周り止めをし、前後リブ体にて前後方向の位置規制をしたノイズフィルタ取り付けものである。これによって、ノイズフィルタの挿入を簡単かつ取付位置の保持を確実な構成としたので、リード線が捩じれたり、絡まったりすることがなく、組立作業を円滑に進めることができる。
【発明の効果】
【００１２】
本発明の洗濯機は、制御基板を収納する舟状ケースへのノイズフィルタを挿入安定化させ、コネクタおよびリード線が捩じれたり、絡まったりすることがなく、組立作業を円滑に進めることができる。
【発明を実施するための最良の形態】
【００１３】
第１の発明は、モータ等負荷装置の運転を制御する制御基板と、前記電源入力部に付加するノイズフィルタと、前記制御基板を収納する舟状ケースおよびフタ体とで構成される制御ユニットとを備え、前記ノイズフィルタは、前記制御基板とは分離した別部材とし前記舟状ケースに一体形成した隔壁で隔てて配置し、前記舟状ケースは可撓性を有する難燃性樹脂で構成され、前記舟状ケースの隔壁に一体形成した複数個のツメ部と、舟状ケース内方下面に形成した上部リブ体および前後リブ体とを設け、前記ノイフィルタを複数個のツメ部開口部から挿入して前記複数個のツメ部の可撓性を利用して固定し、さらに前記上部リブ体の先端に凸部を設けて、ノイズフィルタの切り欠き部を挿入し周り止めをし、前後リブ体にて前後方向の位置規制をしたノイズフィルタ取り付け構成したことにより、製品の制御ユニット部の組み立て中において、舟状ケースに設けてあるツメ体にノイズフィルタを決まった方向から挿入することで、ノイズフィルタを決まった位置で設置固定されるため、組み立て中にノイズフィルタが外れることはなく、ノイズフィルタに挿入しているコネクタおよびリード線が捩じれたり、絡まったりすることがなく、組立作業を円滑に進めることができる。
【００１４】
第２の発明は、特に第１の発明の舟状ケースの複数個のツメ部は、舟状ケースを下面から覆うフタ体で隔壁の位置規制することで、ツメ部が広がることを抑制する構成にしたことにより、洗濯機の輸送中や洗濯中に大きな振動が起きた場合でも、ツメ部からノイズフィルタが外れることはない。
【００１５】
第３の発明は、特に第１または第２の発明の舟状ケースは、底面および側面を覆う鋼板等の難燃性部材で形成されたカバー体を有し、舟状ケースのツメ部に上方に形成された金型上の抜き穴を被覆したことにより、舟状ケースに設けている前記ツメ部の構成を金型のスライド構造ではなく、キャビティ側から構成し、そのために舟状ケース形成した抜き穴を前記カバー体で覆うことができ、安価に前記ツメ部を構成できる。
【００１６】
以下、本発明の実施の形態について、図面を参照しながら説明する。なお、この実施の形態によって本発明が限定されるものではない。
【００１７】
（実施の形態）
本発明の実施の形態における式洗濯機について、図１〜４を用いて説明する。図１は、本実施の形態における洗濯機の断面図、図２は、同洗濯機の制御ユニット部分の平面図、図３は、同洗濯機の制御ユニット部分の一部断面矢視図、図４は、同洗濯機の図２に示される制御ユニット部分のＢ−Ｂ断面図である。
【００１８】
図１において、前方に円状の衣類投入口１３を有する回転ドラム８と、回転ドラム８を回転自在に収容する水槽２とを洗濯機筐体１内に配設し、洗濯機筐体１の正面に設けられた扉体１１から回転ドラム８内へ衣類の出し入れを行うドラム形式の洗濯機を構成している。
【００１９】
回転ドラム８は、有底円筒形の開口部側を洗濯機筐体１の正面側に、底面側を洗濯機筐体１の背面側にして、その回転軸心が開口部側から底面側に向けて下向き傾斜となるように水槽２内に配置され、その回転駆動軸９は水槽２の背面に設けられた軸受１０で軸支されている。水槽２の下面に取り付けられたドラム駆動モータ１９の回転駆動軸に装着された駆動プーリ１６ａと、回転駆動軸９側の従動プーリ１６ｂとの間に駆動ベルト１７が架設されたベルト駆動構造により、ドラム駆動モータ１９によって回転ドラム８は回転駆動される。
【００２０】
洗濯機筐体１内部上方に配した給水手段（図示せず）より水槽２内部に洗濯水が給水され、回転ドラム８の周面には多数の透孔１８が形成されて水槽２内との間で水の流通ができるように構成され、回転ドラム８の回転により衣類を上方に持ち上げ、上方から落下させる叩き洗いの作用がなされるように構成されている。
【００２１】
なお、本実施の形態では、回転ドラム８の回転軸心は開口部側から底面側に向けて下向き傾斜としているが、水平としてもよい。
【００２２】
洗濯機筐体１上部のトップボード１２内方には、洗濯、すすぎ、脱水、等の一連の行程を制御する制御ユニット３を配設している。よって、制御ユニット３の点検、修理、部品交換は、このトップボード１２を取り外して行う事ができる。
【００２３】
制御ユニット３は、洗濯、すすぎ、脱水、等の一連の行程を制御し、ドラム駆動モータ１９等を制御するマイクロコンピュータ（図示せず）等を内蔵した制御基板４と、電源入力部に付加するノイズフィルタ２０と、制御基板４を装着する舟状ケース５と、制御基板４を下面から覆い、舟状ケース５に装着されるフタ体６と、舟状ケース５の上面および側面を覆うカバー体７から構成される。
【００２４】
図２〜４にしたがって、制御ユニット３の構成および取り付け構成について説明する。
【００２５】
図２の平面図において、制御基板４は、難燃性または不燃性の成型樹脂材等で構成された舟状ケース５の底面に複数個のツメ２１にて固定され、舟状ケース５に形成した左隔壁２２をはさんで右方にノイズフィルタ２０を配置し、舟状ケース５は、側面に一体形成した取付けヒンジ２３にて前述の洗濯機函体１に固定される。
【００２６】
図３の矢視図において、舟状ケース５の制御基板４とノイズフィルタ２０を隔てる左隔壁２２と、ノイズフィルタ２０の反対側に形成した右隔壁２４には、複数個の左ツメ部２５と右ツメ部２６をそれぞれ形成し、左右ツメ部２５、２６間のツメ部開口部２７寸法は、ノイズフィルタ２０の外径寸法より、若干狭い寸法に設定している。
【００２７】
ノイズフィルタ２０は、図３下方より矢印Ａ方向から、前記左ツメ部２５と右ツメ部２６のツメ部開口部２７より可撓性を利用して押し広げつつ挿入し、舟状ケース５の内方下面に形成した上部リブ体２９に当接させて、左隔壁２２と右隔壁２４の弾性力にて保持させる。
【００２８】
また、制御基板４とノイズフィルタ２０を下方から覆うフタ体６は、左ツメ部２５と右ツメ部２６が外方に広がらないように位置規制して、左ツメ部２５と右ツメ部２６のノイズフィルタ２０の保持力を保つように付勢されている。
【００２９】
図４の断面図において、ノイズフィルタ２０の取り付け状態で上方角隅部に切り欠き部３０を形成し、舟状ケース５の上部リブ体２９に形成した凸部３１に対応させて、ノイズフィルタ２０のまわり止め規制をし、さらにノイズフィルタ２０の前後には前リブ体３２および後リブ体３３にて前後に移動しないよう位置規制する。従って、ノイズフィルタを舟状ケース５に装着した時点で、ノイズフィルタ２０のリード線４０がねじれる事が無い。
【００３０】
舟状ケース５の外周部には、第１の溝３４を形成し、舟状ケース５の上面および側面を覆うカバー体７の外周折り曲げ部側面３５を挿入し、一方第１の溝３４の外方に第２の溝３６を形成し、フタ体６の外壁端部３７を挿入して固定する。
【００３１】
なお、前記カバー体７およびフタ体６は鋼鈑等の難燃性または不燃性の材料で構成し、特にカバー体７は、舟状ケース５に形成した左ツメ部２５と右ツメ部２６の加工上金型構成で生じた抜き穴３８を上面より覆う構成である。
【００３２】
以上のように構成された洗濯機について、以下その動作、作用を説明する。
【００３３】
製造ラインまたはサービス時にて、制御ユニット３の組み立てを行う際、ノイズフィルタ２０を舟状ケース５に設けられた左右のツメ部２５、２６に所定の方向から挿入することで、その可撓性を利用して保持するようにしている。
【００３４】
左右ツメ部２５，２６と、上部リブ体２９および前リブ体３２および後リブ体３３の間にノイズフィルタ２０を挿入する構成にしているため、例えば、制御基板４上のコネクタを抜き差しする場合に振動等が発生したとしても上下方向へ移動することはない。
【００３５】
さらに、上部リブ体２９の先端には凸部３１にノイズフィルタ２０に設けられている切り欠き部３０を挿入するようにしているため、ノイズフィルタ２０の回転方向の位置規制ができ、ノイズフィルタ２０に挿入されているコネクタのリード線がねじれたり、絡まる問題が発生することはない。
【００３６】
また、舟状ケース５に設けられた左右のツメ部２５、２６を形成するための金型は、スライド式の複雑な金型構成でなく、キャビティ側の金型で構成しているため、安価に形状を構成することができる。
【産業上の利用可能性】
【００３７】
以上のように、本発明にかかる洗濯機は、制御ユニットの組み立て（特にノイズフィルタ部）が容易である洗濯機が得られる。
【図面の簡単な説明】
【００３８】
【図１】本実施の形態における洗濯機の断面図
【図２】同洗濯機に搭載される制御ユニット部分の平面図
【図３】同洗濯機の制御ユニット部分の一部断面矢視図
【図４】同洗濯機の図２に示される制御ユニット部分のＢ−Ｂ断面図
【図５】従来の洗濯機に搭載された制御ユニット部分の断面図
【符号の説明】
【００３９】
３    制御ユニット
４    制御基板
５    舟状ケース
６    フタ体
７    カバー体
１２  トップボード
１９  ドラム駆動モータ
２０  ノイズフィルタ
２２  左隔壁
２５  ツメ部（左ツメ部）
２６  ツメ部（右ツメ部）
２７  ツメ部開口部
２９  上部リブ体
３０  切り欠き部
３１  凸部
３２  前リブ体
３３  後リブ体
３８  抜き穴
４０  リード線
【図１】
2010200983.tif 000003
【図２】
2010200983.tif 000004
【図３】
2010200983.tif 000005
【図４】
2010200983.tif 000006
【図５】
2010200983.tif 000007